(57)【要約】【課題】使用者が行動計画を立て易い婦人用体調管理装置を提供すること。【解決手段】本発明の婦人用体調管理装置は、婦人の月周期で現われる体調に関する情報を取得する体調情報取得手段と、取得された体調に関する情報に基づきこの婦人の月周期で現われる体調の先々の出現時期を予測する出現時期予測手段と、この出現時期予測手段の予測精度を判定する予測精度判定手段と、予測された出現時期に関する情報及び判定された予測精度に関する情報を表示する表示手段とを備えている。これにより、前記予測がどの程度信頼できるものであるかを使用者である婦人が把握できるようになり、先々の行動計画を立て易い婦人用体調管理装置とすることができる。【選択図】図９
2004290335.tif 000002
【特許請求の範囲】
【請求項１】
婦人の月周期で現われる体調に関する情報を取得する体調情報取得手段と、取得された体調に関する情報に基づきこの婦人の月周期で現われる体調の先々の出現時期を予測する出現時期予測手段と、この出現時期予測手段の予測精度を判定する予測精度判定手段と、予測された出現時期に関する情報及び判定された予測精度に関する情報を表示する表示手段とを備えることを特徴とする婦人用体調管理装置。
【請求項２】
前記予測精度判定手段は、前記婦人の月周期で現われる体調に関する情報を、前記体調情報取得手段で過去に取得した回数に基づいて、前記出現時期予測手段の予測精度を判定することを特徴とする請求項１記載の婦人用体調管理装置。
【請求項３】
前記表示手段が表示する前記予測精度に関する情報は、前記婦人の月周期で現われる体調が前記予測された出現時期に実際に現われるかどうかの確率であることを特徴とする請求項１又は２記載の体調管理装置。
【請求項４】
前記体調情報取得手段は、前記婦人が前記月周期で現われる体調に関する情報を入力するものであることを特徴とする請求項１乃至３記載の婦人用体調管理装置。
【請求項５】
前記体調情報取得手段は、前記婦人の生体情報を測定すると共にこの測定した生体情報に基づきこの婦人の月周期で現われる体調に関する情報を取得するものであることを特徴とする請求項１乃至３記載の婦人用体調管理装置。
【請求項６】
前記婦人の生体情報が、この婦人の基礎体温であることを特徴とする請求項５記載の婦人用体調管理装置。
【請求項７】
前記婦人の生体情報が、この婦人の生体電気インピーダンスであることを特徴とする請求項５記載の婦人用体調管理装置。
【請求項８】
前記体調情報取得手段で取得される婦人の月周期で現われる体調に関する情報が、この婦人の月経開始日であることを特徴とする請求項１乃至７記載の婦人用体調管理装置。
【請求項９】
前記体調情報取得手段で取得される婦人の月周期で現われる体調に関する情報が、この婦人の排卵日であることを特徴とする請求項１乃至７記載の婦人用体調管理装置。
【請求項１０】
前記体調情報取得手段で取得される婦人の月周期で現われる体調に関する情報が、この婦人の月周期の日数であることを特徴とする請求項１乃至７記載の婦人用体調管理装置。
【発明の詳細な説明】
【０００１】
【発明の属する技術分野】
本発明は、婦人の月周期で現われる体調に関する情報を取得し、この取得された体調に関する情報に基づいてこの婦人の月周期で現われる体調の先々の出現時期を予測する婦人用体調管理装置に関する。
【０００２】
【従来の技術】
月経開始日や排卵日、或いは月経期、排卵前後期、ＰＭＳ期（Ｐｒｅｍｅｎｓｔｒｕａｌ  Ｓｙｎｄｒｏｍｅ：月経前症候群）等といった婦人の月周期で現われる体調について、各体調の先々の出現時期を予め把握しておくことは、婦人が先々の行動計画を立てるに際して有益である。例えば、月経終了後から排卵日の前後に至る期間においては、一般的に身体のむくみがとれて身体が軽く感じられ、精神的にも安定するため、運動やダイエット、旅行等の活動的な計画を立てておき、一方、排卵後から月経終了に至る期間においては、身体はむくみを生じて疲れ易くなり、精神的にも不安定になりがちであるため、無理な運動やダイエット、旅行等は控えて休養をとる計画を立てておく等、各体調の先々の出現時期を予め把握できれば、これを踏まえて適切な行動計画を立てておくことができる。
【０００３】
ところで、婦人の月周期で現われる体調と婦人の基礎体温との間には、図１３に示される如く、月経開始日及び排卵日を境に基礎体温が高温期と低温期の間を推移するという、密接な関係がある。このことから、婦人用基礎体温計で基礎体温を継続的に測定して記録し、現在の体調判定や今後現われる体調の出現時期の予測が行われてきた。そして近年では、基礎体温の測定に加え、測定された基礎体温の推移と別途使用者が入力した月経開始日のデータとから、次回の月経開始日や排卵日等を予測して表示する機能を備えた婦人用基礎体温計が知られている（例えば、非特許文献１参照。）。
【０００４】
また、本願出願人は、婦人の生体電気インピーダンス（以下、本明細書においては「ＢＩ」と略称することがある。）と基礎体温との間に、図１４に示される如く、基礎体温の低温期にＢＩ値が高値を示し、高温期に低値を示すという関係があることに着目し、婦人のＢＩ値を測定し、測定されたＢＩ値の推移に基づき婦人の現在の体調が月経期、排卵前後期、ＰＭＳ期等の月周期で現われる体調のどれに当たるかを判定する婦人用体調管理装置や、更に次回の月経開始日、排卵日、妊娠可能期間、ダイエットに適した期間等の特定の体調が出現する時期を予測して表示する婦人用体調管理装置を、既に提案している（例えば、特許文献１及び２参照。）。
【０００５】
【非特許文献１】
テルモ株式会社、“ルナチェックＩＩ    テルモ電子体温計Ｃ５９５    取扱説明書”  、２０００年９月初版、ｐ．１５−１７、［ｏｎｌｉｎｅ］、テルモ株式会社ホームページ    ヘルスケア情報局    ルナチェック取扱説明書「ルナチェックＩＩ    テルモ電子体温計Ｃ５９５」、［平成１４年８月９日検索］、インターネット＜ＵＲＬ：ｈｔｔｐ：／／ｗｗｗ．ｔｅｒｕｍｏ．ｃｏ．ｊｐ／          ｈｅａｌｔｈｃａｒｅ／２４１／ＥＴＣ５９５．ＰＤＦ＞
【特許文献１】
特開２００１−７８９７７号公報
【特許文献２】
特開２００２−１０２１９２号公報
【０００６】
【発明が解決しようとする課題】
上記従来の婦人用基礎体温計や婦人用体調管理装置では、次回の月経開始日や排卵日、或いは月経期、排卵前後期、ＰＭＳ期、妊娠可能期間、ダイエットに適した期間等といった月周期で現われる体調の出現時期が予測され、表示画面に表示される。しかしながら、表示された各体調の出現時期はあくまでも予測であるにも拘らず、これら従来の婦人用基礎体温計や婦人用体調管理装置では、この予測の精度に関する情報は何も表示されない。そのため、使用者は、表示された出現時期がどの程度信頼できるものか、或いはどの程度信頼して良いものかが判らないため、前述の行動計画を立て難いという問題が残されている。
【０００７】
また、上記従来の婦人用基礎体温計や婦人用体調管理装置で行う前記出現時期の予測は、これらの装置に入力した月経開始日や、又はこれらの装置で測定した基礎体温、生体電気インピーダンス等のデータの推移に基づいて行われるため、前記予測の精度は、前記データを長期継続的に取得することで向上してゆく。換言すれば、これらの装置を使用し始めて未だ間もなく、前記データの取得回数が少ないうちは、前記予測の精度も低い。しかしながら、使用者は、むしろこれらの装置を使用し始めた初期のうちこそ予測された出現時期を全面的に信頼しがちであり、このような初期の段階で予測が外れた場合には、失望感からこれらの装置を継続的に使用することを止めてしまいかねず、結果としていつまでも前記データの取得回数が増えず、前記予測精度も向上しないという問題が残されている。
【０００８】
従って、この発明は、婦人の月周期で現われる体調の出現時期を予測する婦人用体調管理装置において、上記従来の問題点を解決し、使用者がこの予測の精度を把握できるようにすることで、先々の行動計画を立て易い婦人用体調管理装置を提供することを課題とする。
【０００９】
また、この発明は、婦人の月周期で現われる体調の出現時期を予測する婦人用体調管理装置において、上記従来の問題点を解決し、使用者がこの予測の精度が向上するまで継続して使用する気持ちを起こさせる婦人用体調管理装置を提供することを課題とする。
【００１０】
【課題を解決するための手段】
本発明の婦人用体調管理装置では、婦人の月周期で現われる体調に関する情報を取得する体調情報取得手段と、取得された体調に関する情報に基づきこの婦人の月周期で現われる体調の先々の出現時期を予測する出現時期予測手段と、この出現時期予測手段の予測精度を判定する予測精度判定手段と、予測された出現時期に関する情報及び判定された予測精度に関する情報を表示する表示手段とを備えることとする。
【００１１】
また、本発明の婦人用体調管理装置では、前記予測精度判定手段は、前記婦人の月周期で現われる体調に関する情報を、前記体調情報取得手段で過去に取得した回数に基づいて、前記出現時期予測手段の予測精度を判定することとする。
【００１２】
また、本発明の婦人用体調管理装置では、前記表示手段が表示する前記予測精度に関する情報は、前記婦人の月周期で現われる体調が前記予測された出現時期に実際に現われるかどうかの確率であることとする。
【００１３】
また、本発明の婦人用体調管理装置では、前記体調情報取得手段は、前記婦人が前記月周期で現われる体調に関する情報を入力するものであることとする。
【００１４】
また、本発明の婦人用体調管理装置では、前記体調情報取得手段は、前記婦人の生体情報を測定すると共にこの測定した生体情報に基づきこの婦人の月周期で現われる体調に関する情報を取得するものであることとする。
【００１５】
また、本発明の婦人用体調管理装置では、前記婦人の生体情報が、この婦人の基礎体温であることとする。
【００１６】
また、本発明の婦人用体調管理装置では、前記婦人の生体情報が、この婦人の生体電気インピーダンスであることとする。
【００１７】
また、本発明の婦人用体調管理装置では、前記体調情報取得手段で取得される婦人の月周期で現われる体調に関する情報が、この婦人の月経開始日であることとする。
【００１８】
また、本発明の婦人用体調管理装置では、前記体調情報取得手段で取得される婦人の月周期で現われる体調に関する情報が、この婦人の排卵日であることとする。
【００１９】
また、本発明の婦人用体調管理装置では、前記体調情報取得手段で取得される婦人の月周期で現われる体調に関する情報が、この婦人の月周期の日数であることとする。
【００２０】
【発明の実施の形態】
本発明の婦人用体調管理装置は、婦人の月周期で現われる体調に関する情報を取得する体調情報取得手段と、取得された体調に関する情報に基づきこの婦人の月周期で現われる体調の先々の出現時期を予測する出現時期予測手段と、この出現時期予測手段の予測精度を判定する予測精度判定手段と、予測された出現時期に関する情報及び判定された予測精度に関する情報を表示する表示手段とを備えている。これにより、前記予測がどの程度信頼できるものであるかを使用者である婦人が把握できるようになり、先々の行動計画を立て易い婦人用体調管理装置とすることができる。
【００２１】
また、前記予測精度判定手段は、前記婦人の月周期で現われる体調に関する情報を、前記体調情報取得手段で過去に取得した回数に基づいて、前記出現時期予測手段の予測精度を判定することが望ましい。これにより、前記体調に関する情報の取得回数が増加するほど前記予測精度が向上するため、使用者である婦人にこの婦人用体調管理装置を繰返し使用することのメリットや楽しみを感じさせ、この装置を継続して使用する気持ちを起こさせることができる。
【００２２】
また、前記表示手段が表示する前記予測精度に関する情報は、前記婦人の月周期で現われる体調が前記予測された出現時期に実際に現われるかどうかの確率であることが望ましい。これにより、前記予測がどの程度信頼できるものであるかを使用者である婦人が容易且つ明確に把握できるようになり、先々の行動計画を一層立て易い婦人用体調管理装置とすることができる。
【００２３】
また、前記体調情報取得手段は、前記婦人が前記月周期で現われる体調に関する情報を入力するものであって良い。この場合、使用者である婦人は、既存の婦人用基礎体温計等で別途取得した前記体調に関する情報をこの婦人用体調管理装置で利用して、月周期で現われる体調の先々の出現時期をその予測精度と共に把握することができる。
【００２４】
或いは、前記体調情報取得手段は、前記婦人の生体情報を測定すると共にこの測定した生体情報に基づきこの婦人の月周期で現われる体調に関する情報を取得するものであって良い。この場合、使用者である婦人は、この婦人用体調管理装置で前記体調に関する情報を取得しつつ、月周期で現われる体調の先々の出現時期をその予測精度と共に把握することができる。
【００２５】
特に、前記婦人の生体情報は、この婦人の基礎体温又は生体電気インピーダンスであって良い。基礎体温又は生体電気インピーダンスの何れの生体情報によっても、この婦人の月周期で現われる体調に関する情報を取得することが可能であり、この体調情報に基づきこの婦人の月周期で現われる体調の先々の出現時期を予測すること、及びこの予測精度を判定することができる。
【００２６】
また、前記体調情報取得手段で取得される婦人の月周期で現われる体調に関する情報は、この婦人の月経開始日若しくは排卵日又は月経周期であって良い。月経開始日若しくは排卵日又は月経周期の何れの情報によっても、この体調情報に基づきこの婦人の月周期で現われる体調の先々の出現時期を予測すること、及びこの予測精度を判定することができる。
【００２７】
【実施例】
以下、本発明の好適な実施例を、図面を用いて説明すると、図１は、本発明に係る婦人用体調管理装置１の外観図である。図１に示すように、婦人用体調管理装置１は、使用者の生体情報である体重とＢＩ値とを測定可能な体重計付きＢＩ計２と、この体重計付きＢＩ計２に赤外線や電波等による無線通信を介して接続された制御ボックス３とから構成されている。本実施例では、体重計付きＢＩ計２と制御ボックス３とは赤外線や電波等による無線通信を介して相互に接続されているが、例えば通常の電気ケーブルを介して接続されても良い。
【００２８】
体重計付きＢＩ計２の上面には、使用者の左右の各足裏に接触する定電流印加用電極２１ａ、２１ｂ及び電圧測定用電極２２ａ、２２ｂが設けられている。また、制御ボックス３の前面には、この婦人用体調管理装置１の電源をオン／オフするための電源ボタン３１ａ、月周期で現われる体調に関する情報の入力モード（後述）を選択するための入力モードボタン３１ｂ、体重及びＢＩ値の測定モード（後述）を選択するための測定モードボタン３１ｃ、画面表示の切替え等（後述）を行うための方向ボタン３１ｄからなる操作部３１と、この婦人用体調管理装置１で予測された月周期で現われる体調の出現時期や判定された予測精度に関する情報等を表示するための表示画面３２とが設けられている。尚、方向ボタン３１ｄは、上方向（↑）、下方向（↓）、左方向（←）、右方向（→）の各ボタンが一体化された構造となっている。
【００２９】
図２は、この婦人用体調管理装置１の機能構成を示すブロック図である。図２に示されるように、体重計付きＢＩ計２には、定電流印加用電極２１ａ、２１ｂ及びこれら定電流印加用電極２１ａ、２１ｂに印加される高周波の微弱な定電流を生成するための高周波定電流回路２３と、電圧測定用電極２２ａ、２２ｂ及びこれら電圧測定用電極２２ａ、２２ｂ間の電圧を測定するための電圧測定回路２４と、使用者の体重を測定するための体重測定部２５と、測定された電圧及び体重をＡ／Ｄ変換するためのＡ／Ｄ変換器２６と、無線通信のための通信部２７とが備えられている。
【００３０】
また、制御ボックス３には、前記操作部３１と、前記表示画面３２と、使用日時等を計時するための内部時計３３と、入力された月周期で現われる体調に関する情報や測定された体重及びＢＩ値、予測された体調の出現時期、判定された予測精度等を記憶するためのメモリ３４と、入力された月周期で現われる体調に関する情報や測定された体重及びＢＩ値等のデータを処理して使用者の月周期で現われる体調の出現時期を予測し、且つ、この予測精度の判定を行うためのＣＰＵ３５と、無線通信のための通信部３６とが備えられている。尚、ＣＰＵ３５は、前記出現時期の予測や予測精度の判定のみならず、これらの結果を前記表示画面３２に表示させたり、前記メモリ３４に記憶させたりする処理や、前記電圧測定回路２４で測定された電圧値を処理してＢＩ値を求める処理等についても行う。
【００３１】
本実施例では、各機能要素が上述のように体重計付きＢＩ計２と制御ボックス３とに分離されているが、本発明はこれに限られず、例えばメモリ３４やＣＰＵ３５は制御ボックス３ではなく体重計付きＢＩ計２に備えられていても良く、また、体重計付きＢＩ計２と制御ボックス３とが一体となった構成とされていても良い。
【００３２】
次に、この婦人用体調管理装置１の動作について詳述する。
【００３３】
図３は、前記ＣＰＵ３５が実行する制御のメイン処理を示すフローチャートである。使用者が、前記電源ボタン３１ａを押下して婦人用体調管理装置１の電源をオンとすると、ＣＰＵ３５は、まずステップ１（Ｓ１と略称する。以下同じ。）において、内部時計３３が計時している日時情報を読込んで現在日時を把握する。次いでＳ２では、使用者が前回この婦人用体調管理装置１を使用した際に、後述するＳ３以降の処理を通じて更新されメモリ３４に記憶された、使用者の月周期で現われる体調に関する情報、予測された体調の出現時期に関する情報、予測精度に関する情報、測定された体重やＢＩ値等の各情報（以下、本実施例においては「記憶情報」と総称することがある。）を読込んで、以降の処理に備える。尚、使用者が初めてこの婦人用体調管理装置１を使用する場合には、この記憶情報は未だ存在せず、Ｓ２では何も読込まれない。
【００３４】
次いで、Ｓ３では、前記入力モードボタン３１ｂが押され、入力モードが選択されているかどうかの判定が行われる。入力モードが選択されている場合は、Ｓ３からＳ４に進んで月周期で現われる体調に関する情報の入力処理（後述）が実行される。一方、Ｓ３で入力モードが選択されていない場合は、Ｓ５に進む。Ｓ５では、前記測定モードボタン３１ｃが押され、測定モードが選択されているかどうかの判定が行われる。測定モードが選択されている場合は、Ｓ５からＳ６に進んで体重及びＢＩ値の測定処理（後述）が実行される。
【００３５】
Ｓ３又はＳ５において入力モード又は測定モードの何れかが選択され、Ｓ４の入力処理又はＳ６の測定処理が実行された後は、Ｓ７に進む。Ｓ７では、後述の如く月周期で現われる体調の出現時期の予測及びこの予測精度の判定が行われる（予測処理）。一方、Ｓ３又はＳ５において入力モード、測定モードの何れも選択されていない場合は、Ｓ５からＳ８に進む。また、入力モード、測定モードの何れかが選択されてＳ７の予測処理までが終了した後も、Ｓ８に進む。Ｓ８では、記憶情報としてＳ２でメモリ３４から読込まれるか、又はＳ７の予測処理で得られた前記出現時期や予測精度に関する情報等を、後述の如く表示画面３２に表示する。そして、メイン処理は、前記電源ボタン３１ａが再度押下され、この婦人用体調管理装置１の電源がオフとされるまで、Ｓ３からＳ８の処理を繰返す。尚、電源のオフについては、一定時間以上操作部３１が操作されない場合に自動的に電源オフとする、所謂オートパワーオフ機能を付加しても良い。
【００３６】
次に、Ｓ４の入力処理について、図４のフローチャートを用いて説明する。この入力処理では、月周期で現われる体調に関する情報として、使用者に月経開始日を入力させ、入力された月経開始日から使用者の月経周期（月経開始日から次の月経開始日までの日数）を求める処理を行う。まず、メイン処理において入力モードが選択されると、Ｓ４００において、表示画面３２に「最後の月経開始日を入力してください」等のメッセージを表示して使用者に直近の月経開始日Ｍの入力を促しつつ、所定時間（例えば、１分程度）の入力待機状態に入る。この所定時間中、Ｓ４０１では月経開始日Ｍの入力判定を行い、所定時間内に月経開始日Ｍが入力された場合はＳ４０２に進むが、入力がない場合には以降の処理を全てスキップしてメイン処理に戻る。
【００３７】
Ｓ４０２では、入力された月経開始日Ｍと、記憶情報としてメイン処理のＳ２でメモリ３４から読込まれている月経開始日Ｍｎとを比較し、両者が異なる日付であればＳ４０３に進む。そして、Ｓ４０３において月経日開始日が入力された回数（以下、本実施例においては「月経入力回数」と称する。）ｎをカウントした後、Ｓ４０４において入力された月経開始日Ｍを当周期の月経開始日Ｍｎとして更新し、Ｓ４０５に進む。一方、Ｓ４０２で入力された月経開始日ＭとＳ２で読込んだ月経開始日Ｍｎとが同じ日付であれば、Ｓ４０３及びＳ４０４の処理をスキップしてＳ４０５に進む。即ち、Ｓ４０２において両者の日付が異なるということは、月経周期が新たな周期に入ったことを意味しており、従って月経入力回数ｎのカウント値を１つ増加させた上で月経開始日Ｍｎを入力された月経開始日Ｍで更新する。しかしながら、両者の日付が同じである場合は、未だ同一の月経周期内にあることを意味しているので、月経入力回数ｎのカウントや月経開始日Ｍｎの更新は行わない。尚、使用者が初めてこの婦人用体調管理装置１を使用した場合等、初めてこの入力処理が実行された場合には、月経開始日Ｍｎは未だ存在しないので、Ｓ４０２では両者の日付は異なるものと判定されてＳ４０３及びＳ４０４に進み、月経入力回数ｎのカウント値は１となる。
【００３８】
次いで、Ｓ４０５では、月経入力回数ｎが１であるかどうかが判定される。月経入力回数ｎが１である場合は、月経周期を求めることができないため、Ｓ４０６に進んで表示画面に「１つ前の月経開始日を入力してください」等のメッセージを表示して使用者に前周期の月経開始日Ｍｎ−１の入力を促しつつ、所定時間（例えば、１分程度）の入力待機状態に入る。この所定時間中、Ｓ４０７では前回の月経開始日Ｍｎ−１の入力判定を行い、所定時間内に前回の月経開始日Ｍｎ−１が入力された場合はＳ４０８に進んで月経入力回数ｎをカウント（ｎ＝２となる。）した後Ｓ４０９に進むが、入力がない場合には以降の処理を全てスキップしてメイン処理に戻る。尚、Ｓ４０５で月経入力回数ｎが２以上である場合は、月経周期を求めることが可能であるので、Ｓ４０６からＳ４０８までの処理をスキップしてＳ４０９に進む。
【００３９】
次いで、Ｓ４０９では、当周期の月経開始日Ｍｎと、前周期の月経開始日Ｍｎ−１とから、両者の日数差を求め、これを前回の月経周期Ｔｎ−１として更新する。尚、前周期の月経開始日Ｍｎ−１は、記憶情報としてメイン処理のＳ２でメモリ３４から読込まれるか、又はＳ４０７で入力されている。
【００４０】
次いで、Ｓ４１０からＳ４１２では、最短月経周期Ｔｎ（ｍｉｎ）が更新される。この最短月経周期Ｔｎ（ｍｉｎ）は、過去にこの入力処理を実行することによって取得した月経周期のうち最も短い月経周期であって、記憶情報としてメイン処理のＳ２でメモリ３４から読込まれている。まず、Ｓ４１０では、最短月経周期Ｔｎ（ｍｉｎ）のデータが既に存在するかどうかが確認される。この時、使用者が初めて婦人用体調管理装置１を使用した場合等、初めてこの入力処理が実行された場合には、最短月経周期Ｔｎ（ｍｉｎ）のデータは未だ存在しない。この場合は、Ｓ４１０からＳ４１２の処理に進み、Ｓ４０９で更新した前回の月経周期Ｔｎ−１をそのまま最短月経周期Ｔｎ（ｍｉｎ）として更新した後、Ｓ４１３に進む。一方、Ｓ４１０において最短月経周期Ｔｎ（ｍｉｎ）のデータが既に存在する場合には、Ｓ４１１に進む。Ｓ４１１では、Ｓ４０９で更新した前回の月経周期Ｔｎ−１と最短月経周期Ｔｎ（ｍｉｎ）とが比較され、前回の月経周期Ｔｎ−１が最短月経周期Ｔｎ（ｍｉｎ）を下回る場合には、Ｓ４１２に進んで最短月経周期Ｔｎ（ｍｉｎ）を前回の月経周期Ｔｎ−１で更新した後Ｓ４１３に進み、前回の月経周期Ｔｎ−１が最短月経周期Ｔｎ（ｍｉｎ）以上である場合には、Ｓ４１２の処理をスキップして最短月経周期Ｔｎ（ｍｉｎ）は更新せずにＳ４１３に進む。
【００４１】
次いで、Ｓ４１３からＳ４１５では、平均月経周期Ｔｎが更新される。平均月経周期Ｔｎは、過去にこの入力処理を実行することによって取得した月経周期データの平均値であって、記憶情報としてメイン処理のＳ２でメモリ３４から読込まれている。まず、Ｓ４１３では、平均月経周期Ｔｎのデータが存在するかどうかが確認される。この時、使用者が初めて婦人用体調管理装置１を使用した場合等、初めてこの入力処理が実行された場合には、平均月経周期Ｔｎのデータは未だ存在しない。この場合は、Ｓ４１３からＳ４１４の処理に進み、Ｓ４０９で更新した前回の月経周期Ｔｎ−１をそのまま平均月経周期Ｔｎとして更新した後、メイン処理に戻る。一方、Ｓ４１３において平均月経周期Ｔｎのデータが既に存在する場合には、Ｓ４１５に進み、この平均月経周期ＴｎにＳ４０９で更新した前回の月経周期Ｔｎ−１を加えて２で除すことによって新たな平均月経周期Ｔｎを求めて更新し、その後メイン処理に戻る。
【００４２】
上記Ｓ４００からＳ４１５の処理により、月周期で現われる体調に関する情報として、使用者の月経開始日及び月経周期が取得される。また、斯かる体調に関する情報を取得した回数がカウントされる。尚、本実施例では、使用者が月経開始日を入力し、入力された月経開始日から月経周期を算出しているが、月経開始日に代えて排卵日を入力することとしても良く、或いは月経周期自体を入力するようにしても良い。
【００４３】
次に、メイン処理Ｓ６の測定処理について、図５のフローチャートを用いて説明する。この測定処理では、使用者の生体情報として体重及びＢＩ値を測定し、体脂肪量と排卵日とを求める処理を行う。まず、メイン処理において測定モードが選択されると、Ｓ６００において、表示画面に「測定台に乗り、足裏を規定の位置に合せてください」等のメッセージを表示して使用者に体重及びＢＩ値の測定を促しつつ、所定時間（例えば、１分程度）の測定待機状態に入る。この所定時間中、Ｓ６０１では体重及びＢＩ値の測定実行判定を行い、所定時間内にこれらの測定が実行された場合はＳ６０２に進むが、実行されない場合には以降の処理を全てスキップしてメイン処理に戻る。尚、使用者の体重及びＢＩ値は、左足裏の爪先側を前記定電流印加用電極２１ａに、踵側を前記電圧測定用電極２２ａに、右足裏の爪先側を前記定電流印加用電極２１ｂに、踵側を前記電圧測定用電極２２ｂに夫々接触させた状態で、前記体重計付きＢＩ計２の上面に乗ることにより、測定される。
【００４４】
次いで、Ｓ６０２では、測定されたＢＩ値に基づき使用者の体脂肪量が算定される。このＢＩ値に基づく体脂肪量は、ＣＰＵ３５が所定の回帰演算プログラムソフトウェアを実行することで算定されるものであるが、ここでは説明を割愛する。
【００４５】
次いで、Ｓ６０３では、測定されたＢＩ値を例えば以下の補正式１又は補正式２により補正して、補正ＢＩ値を取得する。尚、補正式中、Ａ，Ｂは補正係数である。このＢＩ値の補正は、ＢＩ値に基づいて婦人の月周期で現われる体調を判定しようとする場合において、ＢＩ値の変化に対する体重変化の影響を除くために行うものであって、前記特開２００１−７８９７７号公報等において既に公知であるため、ここでは詳しい説明を割愛する。
【００４６】
補正式１    ：    体重補正ＢＩ＝ＢＩ＋Ａ×初回に測定された体重との差異
補正式２    ：    体重補正ＢＩ＝ＢＩ＋Ｂ×前回測定された体重との差異
【００４７】
次いで、Ｓ６０４では、Ｓ６０３で取得された補正ＢＩ値と、使用者が前日にこの婦人用体調管理装置１を使用して測定モードを実行した際に取得され、記憶情報としてメイン処理のＳ２でメモリ３４から読込まれている補正ＢＩ値とが比較され、補正ＢＩ値が前日の補正ＢＩ値を所定レベル以上（例えば、４％以上）下回るかどうかの判定が行われる。図１４に示されるように、補正ＢＩ値が所定レベル以上急激に落込んでいる場合、使用者には排卵による体調変化が生じていると考えられるため、Ｓ６０５に進んでＢＩ値に基づく排卵判定日Ｏｎ（ＢＩ）の日付を前日の日付で更新し、その後メイン処理に戻る。一方、Ｓ６０４で補正ＢＩ値が前日の補正ＢＩ値を所定レベル以上下回ることがなければ、Ｓ６０５の処理はスキップしてメイン処理に戻る。また、使用者が初めて婦人用体調管理装置１を使用した場合等、前日の補正ＢＩ値のデータが未だ存在しない場合も、Ｓ６０４からメイン処理に戻る。尚、本実施例では、前記補正ＢＩ値を前日の補正ＢＩ値と比較しているが、この比較対象は、各月経周期中で補正ＢＩ値が高値を示す期間における、補正ＢＩ値の平均値としても良い。
【００４８】
上記Ｓ６００からＳ６０５の処理により、使用者の体重及びＢＩ値が測定され、体脂肪量と排卵日とが求められる。尚、本実施例では、測定したＢＩ値の推移に基づき排卵日を求めているが、月経の終了、又はむくみやＰＭＳの発現若しくは終了等を求めるようにしても良い。また、本実施例では、測定したＢＩ値から使用者の体脂肪量を算出しているが、体水分量、基礎代謝量、骨密度、筋肉量等の体組成分を求めるようにしても良い。
【００４９】
次に、メイン処理Ｓ７の予測処理について、図６のフローチャートを用いて説明する。この予測処理では、メイン処理のＳ４又はＳ６で取得された月経開始日、平均月経周期、排卵日等の月周期で現われる体調に関する情報から、当周期及び次周期以降の各周期における月周期で現われる体調の出現時期を予測する。特に、本実施例では、月周期で現われる体調の出現時期として、月経期、ダイエットに適した期間（以下、本実施例においては「ダイエット期」と略称する。）、排卵前後期、ＰＭＳ予防期、及びＰＭＳ期の各開始日を予測する。また、併せて、この予測の精度に関する判定を行う。
【００５０】
まず、Ｓ７００において、平均月経周期Ｔｎのデータが存在するかどうかが確認される。尚、この平均月経周期Ｔｎは、前記Ｓ４の入力処理（Ｓ４０３又はＳ４０８）でカウントされる月経入力回数ｎが２以上であれば求められているので、Ｓ７００は、月経入力回数ｎが２以上であるかどうかを判定することとしても良い。ここで、使用者が初めて婦人用体調管理装置１を使用した場合等、未だ平均月経周期Ｔｎのデータが存在しない場合には、以降の処理を全てスキップしてメイン処理に戻る。
【００５１】
一方、Ｓ７００において平均月経周期Ｔｎのデータが存在する場合には、Ｓ７０１に進んで次回以降α回先までの月経開始日が予測される。次回以降α回先の月経開始日Ｍｎ＋αは、当周期の月経開始日Ｍｎに、平均月経周期Ｔｎのα倍の日数を加算することにより予測される。この婦人用体調管理装置１では、このαの値が１から１２まで設定されており、従って次回以降１２回先までの月経開始日を予測して、概ね向こう１年間の月経開始日を把握することが可能となっている。もちろん、このαの値は１２までに限定されるものではなく、任意に設定すれば良い。
【００５２】
次いで、Ｓ７０２では、ダイエット期の開始日を予測する。ダイエットには、月経期が終了して基礎代謝が上昇し始める時期から、排卵前後期に至る時期が適している。この婦人用体調管理装置１では、月経開始日を含む４日間が月経期として設定されており、従って、斯かる月経期の終了翌日をダイエット期の開始日と予測することができる。即ち、Ｓ７０２では、当周期の月経開始日Ｍｎに４日を加算して得られる日付を、当周期におけるダイエット期の開始日Ｄｎとして予測する。そして、この当周期のダイエット期開始日Ｄｎに平均月経周期Ｔｎのα倍の日数を加算することで、次回以降α回先のダイエット期開始日Ｄｎ＋αを予測する。尚、本実施例では月経開始日を含む４日間を月経期として設定しているが、この日数は、７日間程度までの間で適宜設定することができる。また、この日数は、前記Ｓ６の測定処理で測定したＢＩ値の推移に基づいて、例えば月経開始日からＢＩ値が高値で安定するまでの期間を実際の月経期として各周期で算定しておき、その平均日数を月経期とすることも可能である。
【００５３】
次いで、Ｓ７０３からＳ７０５においては、排卵日を予測する。まず、Ｓ７０３では、前記Ｓ６の測定処理（Ｓ６０５）で更新されたＢＩ値に基づく排卵判定日Ｏｎ（ＢＩ）のデータが存在するかどうかが確認される。この排卵判定日Ｏｎ（ＢＩ）のデータは、使用者が継続的に前記Ｓ６の測定処理を実行（測定モードを選択）し、且つ、当周期において既に実際の排卵日が到来（前記Ｓ６０４で判定したＢＩ値の変化が発生）している場合に存在する。従って、排卵判定日Ｏｎ（ＢＩ）のデータが存在する場合には、Ｓ７０４に進んで当周期の排卵日Ｏｎを排卵判定日Ｏｎ（ＢＩ）とする。そして、この当周期の排卵日Ｏｎに平均月経周期Ｔｎのα倍の日数を加算することで、次回以降α回先の排卵日Ｏｎ＋αを予測する。
【００５４】
一方、Ｓ７０３で排卵判定日Ｏｎ（ＢＩ）のデータが存在しない場合には、Ｓ７０３からＳ７０５に進む。この場合、この婦人用体調管理装置１では、月経開始日の１４日前が排卵日として設定されており、従って、次回の月経開始日の１４日前を排卵日と予測することができる。ここで、次回の月経開始日としては、Ｓ７０１で予測された次回の月経開始日Ｍｎ＋１を用いても良いが、本実施例では、後述する理由から、この排卵日の予測処理に限り、当周期の月経開始日Ｍｎに前記Ｓ４の入力処理（Ｓ４１０からＳ４１２）で更新された最短月経周期Ｍｎ（ｍｉｎ）を加算して得られる日付を、次回の月経開始日とする。そして、この日から１４日を減算して得られる日付を、当周期における排卵日Ｏｎとして予測する。そして、この当周期の排卵日Ｏｎに平均月経周期Ｔｎのα倍の日数を加算することで、次回以降α回先の排卵日Ｏｎ＋αを予測する。
【００５５】
ここで、当周期の排卵日Ｏｎを、前述の如く最短月経周期Ｔｎ（ｍｉｎ）を用いて予測する理由は、次の通りである。即ち、Ｓ７０１で予測された次回の月経開始日Ｍｎ＋１は、当周期の月経開始日Ｍｎに平均月経周期Ｔｎを加算して得られた日付であるため、これを基に予測される排卵日は、上述の如く最短月経周期Ｔｎ（ｍｉｎ）を用いて予測される排卵日よりも、遅い日付となる。そのため、排卵日を平均月経周期Ｔｎに基づいて予測した場合は、最短月経周期Ｔｎ（ｍｉｎ）に基づいて予測した場合に比して、実際の排卵日が予測した排卵日よりも早く到来する傾向が強くなる。一方、使用者は、排卵日前までの比較的好調な時期に、旅行等の活動的な行動を計画していることが多い。ここで、実際の排卵日が予測された排卵日よりも早く到来してしまうと、使用者は計画していた行動を取止める等の見直しを図ることになるが、旅行等、活動的な計画であるが故に、その見直しは不可能で結果的に身体に無理を強いてしまうことも多く、また見直しが可能であっても大きな不満を伴い易い。そこで、本実施例においては、排卵日Ｏｎの予測については最短月経周期Ｔｎ（ｍｉｎ）に基づいて行うこととして、この予測された排卵日よりも実際の排卵日が早く到来する傾向を抑え、使用者が活動的な行動計画の見直しを必要とする事態を減じることとしている。
【００５６】
次いで、Ｓ７０６では、排卵前後期の開始日を予測する。この婦人用体調管理装置１では、排卵日とその前後２日間の計５日間が排卵前後期として設定されており、従って、排卵日の２日前を排卵前後期の開始日と予測することができる。即ち、Ｓ７０６では、Ｓ７０４で設定又はＳ７０５で予測された排卵日Ｏｎから２日を減算して得られる日付を、当周期における排卵前後期の開始日ＰＯｎとして予測する。そして、この当周期の排卵前後期の開始日ＰＯｎに平均月経周期Ｔｎのα倍の日数を加算することで、次回以降α回先の排卵前後期の開始日ＰＯｎ＋αを予測する。
【００５７】
次いで、Ｓ７０７では、ＰＭＳ予防期の開始日を予測する。この婦人用体調管理装置１では、排卵前後期の終了後、ＰＭＳ期が始まるまでの期間がＰＭＳ予防期として設定されており、従って、排卵日の３日後をＰＭＳ予防期の開始日と予測することができる。即ち、Ｓ７０７では、Ｓ７０４で設定又はＳ７０５で予測された排卵日Ｏｎに３日を加算して得られる日付を、当周期におけるＰＭＳ予防期の開始日ＰＰｎとして予測する。そして、この当周期のＰＭＳ予防期の開始日ＰＰｎに平均月経周期Ｔｎのα倍の日数を加算することで、次回以降α回先のＰＭＳ予防期の開始日ＰＰｎ＋αを予測する。
【００５８】
次いで、Ｓ７０８では、ＰＭＳ期の開始日を予測する。この婦人用体調管理装置１では、月経前の７日間がＰＭＳ期として設定されており、従って、次回の月経開始日の７日前をＰＭＳ期の開始日と予測することができる。即ち、Ｓ７０８では、Ｓ７０１で予測された次回の月経開始日Ｍｎ＋１から７日を減算して得られる日付を、当周期におけるＰＭＳ期の開始日Ｐｎとして予測する。そして、この当周期のＰＭＳ期開始日Ｐｎに平均月経周期Ｔｎのα倍の日数を加算することで、次回以降α回先のＰＭＳ期開始日Ｐｎ＋αを予測する。
【００５９】
次いで、Ｓ７０９では、Ｓ７０１からＳ７０８までの処理における予測について、この予測精度の判定を行う。特に、この婦人用体調管理装置１では、Ｓ７０１からＳ７０８までの処理で予測された各開始日に、夫々の体調が実際に現われる確率を求める。この確率は、図７に示すように、月経入力回数ｎに対応した確率データとして、当周期及び１回先（次回）から１２回先までの確率データが予めメモリ３４に格納されている。従って、ＣＰＵ３５は、前記Ｓ４の入力処理（Ｓ４０３又はＳ４０８）でカウントされている月経入力回数ｎを参照して、当周期及び１回先から１２回先までの前記確率を求めることができる。もちろん、この確率は、本実施例の如く確率データを予めメモリ３４に格納しておくだけでなく、例えば月経入力回数ｎと何回先の予測であるか（α）とを変数とした確率算定式を作成しておき、斯かる確率算定式を用いてこの予測処理を実行する都度算出しても良い。
【００６０】
上記Ｓ７００からＳ７０９までの処理により、メイン処理のＳ４又はＳ６で取得された月経開始日、平均月経周期、排卵日の各データから、当周期及び次周期以降の各周期における月経期、ダイエット期、排卵前後期、ＰＭＳ予防期及びＰＭＳ期の各開始日が予測される。また、併せて、予測された各開始日に各体調が実際に現われる確率が、前記月経開始日の入力回数に基づいて求められる。尚、月周期で現われる体調として、他に妊娠可能期等の出現時期を予測するようにしても良い。
【００６１】
次に、メイン処理Ｓ８の表示処理について、図８から図１２を用いて説明する。この表示処理では、使用者による操作部３１の操作に応じて、Ｓ２でメモリ３４から読込まれるか、又はＳ７の予測処理で得られた前記出現時期や予測精度に関する情報等を、表示画面３２に表示する。
【００６２】
まず、表示画面３２は、図８に示すように、正面視の上辺に沿って細い幅で区画された上段表示部３２ａと、上段表示部３２ａ以外の全領域からなる下段表示部３２ｂとから構成されている。そして、婦人用体調管理装置１の電源がオン状態にある間、上段表示部３２ａには常に現在の日時情報が表示され、下段表示部３２ｂには、使用者が操作部３１の方向ボタン３１ｄを操作することによって選択した情報が表示されることになる。
【００６３】
ここで、図８に示された画面は、メイン処理がＳ８まで進んできた際に最初に表示される初期画面である。この初期画面では、下段表示部３２ｂに、その表示領域の略全域に亘って現在の日付を含む１ヶ月間のカレンダーが表示されると共に、この月間カレンダーの上方左側には表題が表示される。また、この月間カレンダー上には、現在の日付が反転表示されると共に、月経開始日が丸で囲まれて表示される。具体的に、図８の初期画面では、上段表示部３２ａに「２００２年８月３日土曜日ＡＭ１０：００」と表示され、下段表示部３２ｂには、３日が反転表示され、且つ、１日と２９日が丸で囲まれたカレンダーと、「２００２年８月のカレンダー」の表題とが表示されている。
【００６４】
尚、上記月経開始日は、婦人用体調管理装置１の電源をオンとした直後であれば記憶情報としてメイン処理Ｓ２で読込まれた日付が表示され、メイン処理のＳ４及びＳ７を実行した後であればこれらの処理で更新された日付が表示される。但し、この婦人用体調管理装置１を始めて使用した場合等、未だ月経開始日のデータがメモリ３４に記憶されておらず、またメイン処理のＳ４及びＳ７も未だ実行されていない場合には、この月経開始日は表示されない。
【００６５】
次に、図９は、この婦人用体調管理装置１で予測された月周期で現われる体調の出現時期とこの予測精度に関する情報が表示された画面である。この画面では、下段表示部３２ｂに毎月１日で始まる１ヶ月間のカレンダーが表示され、この月間カレンダー上に、特定の体調が出現する期間が反転表示される。尚、この出現期間は、前記Ｓ７で予測された各体調期の開始日に基づいて、特定の体調期の開始日から次に出現する体調期の開始日の前日までが反転表示されている。また、この月間カレンダーの上方左手側には、対応した表題として反転表示中の期間に出現する体調の名称が表示されると共に、月間カレンダーの上方右手側には、反転表示中の期間に表題の体調が実際に現われる確率が表示される。
【００６６】
具体的に、図９（ａ）の画面では、現在の日付を含む２００２年８月のカレンダー上で５日から１１日までの期間が反転表示されており、この月間カレンダーの上方左手側には「２００２年８月のダイエット期」と表示され、上方右手側には「確率９５％」と表示されている。また、図９（ｂ）の画面では、現在の日付よりも２ヶ月先となる１０月のカレンダー上で２４日から２７日までの期間が反転表示されており、この月間カレンダーの上方左手側には「２００２年１０月の月経期」と表示され、上方右手側には「確率６５％」と表示されている。
【００６７】
尚、上記体調の出現期間及び確率は、婦人用体調管理装置１の電源をオンとした直後であれば記憶情報としてメイン処理Ｓ２で読込まれた出現期間及び確率が表示され、メイン処理のＳ４及びＳ７を実行した後であればこれらの処理で更新された出現期間及び確率が表示される。但し、この婦人用体調管理装置１を始めて使用した場合等、未だこれらの出現期間及び確率がメモリ３４に記憶されておらず、またメイン処理のＳ４及びＳ７も未だ実行されていない場合には、これらの出現期間及び確率は表示されず、代わりに「データ不足です。入力モードを選択して実行してください」等のメッセージが表示される。
【００６８】
次に、図１０は、この婦人用体調管理装置１で予測された月周期で現われる体調の出現時期とこの予測精度に関する情報が表示された別の画面である。この画面では、下段表示部３２ｂには図９の如き月間カレンダーではなく、月経開始日を始点として次の月経開始日を終点とする月経周期毎のカレンダー（以下、本実施例においては「周期カレンダー」と称する。）が表示される。そしてこの周期カレンダー上に、この月経周期内に現われる各体調期の開始日が表示され、またその開始日で始まる体調期の名称が、その開始日にその体調が実際に現われる確率と共に表示される。また、この周期カレンダーの上方左手側には、対応した表題として何回先の月経周期であるかが表示される。
【００６９】
具体的に、図１０（ａ）の画面では、下段表示部３１ｂに、８月１日を表す記号「８／１」と８月２９日を表す記号「８／２９」とが、月経開始日を表す記号「Ｍ」及びこれら両日付記号を結ぶ曲線と共に表示されており、この曲線上に、この周期内に現われる各体調期の開始日を表す日付記号「８／５」、「８／１２」、「８／１７」及び「８／２２」が表示されている。また、「月経期」、「ダイエット期」、「排卵前後期」、「ＰＭＳ予防期」及び「ＰＭＳ期」といった各体調期の名称が、各体調期が実際に現われる確率「９５％」と共に、前記各日付記号に挟まれた曲線を指示して表示されている。但し、曲線上、現在の日付である８月３日が対応する位置には●が表示され、現在の日付が属する「月経期」には確率ではなく「現在」と表示されている。そして、この周期カレンダーの上方には「現在の月経周期」と表示されている。また、図１０（ｂ）の画面では、月経開始日を表す日付記号が「９／２６」及び「１０／２４」と表示され、各体調の開始日を表す日付記号が「９／３０」、「１０／７」、「１０／１２」及び「１０／１７」と表示されている。また、各体調期の名称と共に各体調期が実際に現われる確率が「７５％」と表示され、併せてこの周期カレンダーの上方には「２回先の月経周期」と表示されている。
【００７０】
尚、上記各体調期の開始日及び確率は、婦人用体調管理装置１の電源をオンとした直後であれば記憶情報としてメイン処理Ｓ２で読込まれた開始日及び確率が表示され、メイン処理のＳ４及びＳ７を実行した後であればこれらの処理で更新された開始日及び確率が表示される。但し、この婦人用体調管理装置１を始めて使用した場合等、未だこれらの開始日及び確率がメモリ３４に記憶されておらず、またメイン処理のＳ４及びＳ７も未だ実行されていない場合には、これらの開始日及び確率は表示されず、代わりに「データ不足です。入力モードを選択して実行してください」等のメッセージが表示される。
【００７１】
図８の初期画面と、図９の画面及び図１０の画面とは、使用者が前記方向ボタン３１ｄを操作することによって、適宜切替えられる。この画面切替え動作について、図１１に示した画面表示遷移図を用いて説明する。
【００７２】
まず、図８の初期画面は、図１１のＳＴ８０に相当している。ＳＴ８０の状態で方向ボタンの上方向（↑）又は下方向（↓）を押下すると、下段表示部３２ｂに表示される月間カレンダーとその表題が切替わる。即ち、方向ボタンの上方向（↑）を１回押下する毎に、月間カレンダーとその表題は、次月の月間カレンダー（ＳＴ９０）、２ヶ月先の月間カレンダー（ＳＴ１００）、３ヶ月先の月間カレンダー（ＳＴ１１０）と順次切替わってゆき、方向ボタンの下方向（↓）を押下すると、前月の月間カレンダー（ＳＴ７０）が表示される。
【００７３】
また、ＳＴ８０で方向ボタン３１ｄの左方向（←）を押下すると、初期画面は図９の画面に切替わる。即ち、方向ボタンの左方向（←）を１回押下する毎に、下段表示部３２ｂには、月経期（ＳＴ８１）、ダイエット期（ＳＴ８２）、排卵前後期（ＳＴ８３）、更には図示しないＰＭＳ予防期及びＰＭＳ期の順で、夫々の体調期の出現期間及びこれに対応した表題と確率とが表示される。また、方向ボタン３１ｄの左方向（←）を押下し、続けて上方向（↑）を１回押下する毎に、次月以降の月経期、ダイエット期等の出現期間及びこれに対応した表題と確率とが順次表示される（ＳＴ９１からＳＴ９３、ＳＴ１０１からＳＴ１０３、ＳＴ１１１からＳＴ１１３等）。従って、例えば初期画面（ＳＴ８０）が図８に示した「２００２年８月のカレンダー」である場合、方向ボタン３１ｄの左方向（←）を２回押下することで図９（ａ）の「２００２年８月のダイエット期」の画面が表示され（ＳＴ８２）、初期画面から左方向（←）を１回押下し、続けて上方向（↑）を２回押下することで、図９（ｂ）の「２００２年１０月の月経期」の画面が表示される（ＳＴ１０１）。
【００７４】
また、ＳＴ８０で方向ボタン３１ｄの右方向（→）を押下すると、初期画面は図１０の画面に切替わり、下段表示部３２ｂには周期カレンダーと対応する表題が表示される（ＳＴ８９）。また、続けて上方向（↑）を押下すると、１回押下する毎に、次回以降１２回先までの周期カレンダーと対応する表題が順次表示される（ＳＴ９９からＳＴ１１９）。従って、例えば初期画面（ＳＴ８０）が図８に示した「２００２年８月のカレンダー」である場合、方向ボタン３１ｄの右方向（→）を押下することで図１０（ａ）の「現在の月経周期」が表示され（ＳＴ８９）、続けて上方向（↑）を２回押下することで、図１０（ｂ）の「２回先の月経周期」が表示される（ＳＴ１０９）。
【００７５】
このようにして、メイン処理Ｓ８の表示処理では、まず図８の初期画面が表示され、使用者が方向ボタン３１ｄを押下することにより、図９及び図１０に示す各画面が、順次切替え表示されるものである。
【００７６】
更に、本実施例の婦人用体調管理装置１では、メイン処理のＳ５において測定モードが選択されてＳ６の測定処理とＳ７の予測処理が実行された後にＳ８の表示処理に進んできた場合にのみ、このＳ６で測定及び算定された使用者の体重及び体脂肪量等を、図１２に示す如く表示画面３２に表示する。即ち、まず図１２（ａ）に示すように、上段表示部３２ａには現在の日時情報が表示され、下段表示部３２ｂには、Ｓ６（Ｓ６０１及びＳ６０２）で測定及び算定された使用者の体重及び体脂肪量が、現在の日付がどの体調期に属しているかの情報と共に表示される。次いで、この図１２（ａ）の画面が所定時間（例えば、１５秒程度）表示された後、下段表示部３２ｂには、図１２（ｂ）に示す如く、現在どの体調期にあるかの情報と、今後出現する各体調期の開始日までの残存日数及びその日数が経過したときに各体調が実際に出現する確率とが表示される。そして、この図１２（ｂ）の画面が所定時間（例えば、１５秒程度）表示された後、再び図１２（ａ）の画面が所定時間表示され、その後再び図１２（ｂ）の画面が表示される。このようにして、図１２（ａ）の画面と図１２（ｂ）の画面とが所定時間ずつ交互に、都合４回ずつ表示された後、図８の初期画面に移行する。
【００７７】
具体的に、図１２（ａ）の画面では、上段表示部３２ａに「２００２年８月１４日水曜日ＡＭ１０：００」と表示され、下段表示部３２ｂには、「体重５０．０ｋｇ」及び「脂肪量１０．０ｋｇ」と表示されている。また、現在どの体調期にあるかの情報として、「今は排卵前後期です。」というコメントと、現在の日付を三日月記号で表した周期カレンダーとが表示されている。また、図１２（ｂ）の画面では、下段表示部３２ｂに、「今は排卵前後期です。」というコメントと、「次回のＰＭＳ予防期まであと３日    当たる確率は９５％」、「次回のＰＭＳ期まであと８日    当たる確率は９５％」、「次回の月経期まであと１５日    当たる確率は８５％」及び「次回のダイエット期まであと１９日    当たる確率は８５％」というコメントとが表示されている。尚、図１２（ｂ）で表示される確率について、ＰＭＳ予防期及びＰＭＳ期に対応した確率と月経期及びダイエット期に対応した確率とが異なるのは、この画面の現在の日付からみて、ＰＭＳ予防期及びＰＭＳ期は当周期に現われる体調であり、月経期及びダイエット期は次周期に現われる体調であるためである。
【００７８】
上述の如く、本発明の好適実施例である婦人用体調管理装置１では、体調情報取得手段たる操作部３１等により使用者の月経開始日が入力されて月経周期が求められ、及び体調情報取得手段たる定電流印加用電極２１ａ、２１ｂ、高周波定電流回路２３、電圧測定用電極２２ａ、２２ｂ、電圧測定回路２４等により使用者のＢＩ値が測定されて排卵日が求められる。そして、これら取得された月経開始日、月経周期、排卵日といった月周期で現われる体調に関する情報に基づいて、出現時期予測手段たるＣＰＵ３５により月経期、ダイエット期、排卵前後期、ＰＭＳ予防期及びＰＭＳ期といった月周期で現われる各体調期の開始日が予測される。また、併せて、予測精度判定手段たるＣＵＰ３５により予測された各体調期の開始日に各体調が実際に現われる確率が、前記月経開始日の入力回数に基づいて判定される。そして、予測された各体調の出現期間や開始日と、判定された確率とが、表示手段たる表示画面３２に表示される。
【００７９】
尚、本発明の実施の形態は、本実施例に限定される必要はなく、本実施例の説明と併せて適宜説明してきたように、種々の変形が可能である。更に、本発明の婦人用体調管理装置は、月周期で現われる体調に関する情報を全て使用者が入力するような形態であっても良く、逆に全てＢＩ値等の生体情報を測定して求めるような形態であっても良い。また、この生体情報は、基礎体温等、婦人の月周期で現われる体調と相関を持つものであれば良い。また、ＢＩ値の場合、使用者の両足間で測定するだけでなく、両手間、手足間、その他特定の部位間で測定したＢＩ値であって良い。また、使用者の血圧や脈拍等の生体情報を更に測定して前記体調に関する情報の取得や補正に利用する形態としても良い。また、前記予測精度に関する情報は、数値としての確率だけでなく、この確率をバーグラフや特定のマークの個数を用いて模式的に表示しても良く、或いは、「この予測は当たり易い」、「この予測は外れるかも」等といった抽象的なコメントを表示するものであっても良い。更にまた、本発明の婦人用体調管理装置は、本実施例の如く独立したユニットとしての形態を採るばかりでなく、例えば、月周期で現われる体調に関する情報を入力するためのソフトウェアプログラムを備えたクライアントコンピュータと、斯かる体調に関する情報に基づき月周期で現われる体調の先々の出現時期を予測すると共にこの予測精度を判定するためのソフトウェアプログラムを備えたサーバーコンピュータとを通信可能に接続した、ネットワークシステムの形態で実施しても良い。
【００８０】
【発明の効果】
以上説明してきたように、本発明の婦人用体調管理装置は、婦人の月周期で現われる体調に関する情報を取得する体調情報取得手段と、取得された体調に関する情報に基づきこの婦人の月周期で現われる体調の先々の出現時期を予測する出現時期予測手段と、この出現時期予測手段の予測精度を判定する予測精度判定手段と、予測された出現時期に関する情報及び判定された予測精度に関する情報を表示する表示手段とを備えている。これにより、前記予測がどの程度信頼できるものであるかを使用者である婦人が把握できるようになり、先々の行動計画を立て易い婦人用体調管理装置とすることができる。
【００８１】
また、前記予測精度判定手段を、前記婦人の月周期で現われる体調に関する情報を前記体調情報取得手段で過去に取得した回数に基づいて、前記出現時期予測手段の予測精度を判定することとした場合には、前記体調に関する情報の取得回数が増加するほど前記予測精度が向上するため、使用者である婦人にこの婦人用体調管理装置を繰返し使用することのメリットや楽しみを感じさせ、この装置を継続して使用する気持ちを起こさせることができる。
【００８２】
また、前記表示手段が表示する前記予測精度に関する情報を、前記婦人の月周期で現われる体調が前記予測された出現時期に実際に現われるかどうかの確率とした場合には、前記予測がどの程度信頼できるものであるかを使用者である婦人が容易且つ明確に把握できるようになり、先々の行動計画を一層立て易い婦人用体調管理装置とすることができる。
【００８３】
また、前記体調情報取得手段は、前記婦人が前記月周期で現われる体調に関する情報を入力するものであってよく、この場合、使用者である婦人は、既存の婦人用基礎体温計等で別途取得した前記体調に関する情報をこの婦人用体調管理装置で利用して、月周期で現われる体調の先々の出現時期をその予測精度と共に把握することができる。
【００８４】
或いは、前記体調情報取得手段は、前記婦人の生体情報を測定すると共にこの測定した生体情報に基づきこの婦人の月周期で現われる体調に関する情報を取得するものであってよく、この場合、使用者である婦人は、この婦人用体調管理装置で前記体調に関する情報を取得しつつ、月周期で現われる体調の先々の出現時期をその予測精度と共に把握することができる。
【００８５】
特に、前記婦人の生体情報は、この婦人の基礎体温又は生体電気インピーダンスであってよく、基礎体温又は生体電気インピーダンスの何れの生体情報によっても、この婦人の月周期で現われる体調に関する情報を取得することが可能であり、この体調情報に基づきこの婦人の月周期で現われる体調の先々の出現時期を予測すること、及びこの予測精度を判定することができる。
【００８６】
また、前記体調情報取得手段で取得される婦人の月周期で現われる体調に関する情報は、この婦人の月経開始日若しくは排卵日又は月経周期であってよく、月経開始日若しくは排卵日又は月経周期の何れの情報によっても、この体調情報に基づきこの婦人の月周期で現われる体調の先々の出現時期を予測すること、及びこの予測精度を判定することができる。
【図面の簡単な説明】
【図１】本発明による婦人用体調管理装置の外観図である。
【図２】本発明による婦人用体調管理装置の機能構成を示すブロック図である。
【図３】本発明による婦人用体調管理装置のメイン処理のフローチャートである。
【図４】本発明による婦人用体調管理装置の入力処理のフローチャートである。
【図５】本発明による婦人用体調管理装置の測定処理のフローチャートである。
【図６】本発明による婦人用体調管理装置の予測処理のフローチャートである。
【図７】本発明による婦人用体調管理装置に格納された確率データを表す図である。
【図８】本発明による婦人用体調管理装置の初期画面表示を表す図である。
【図９】図９（ａ）（ｂ）共に、本発明による婦人用体調管理装置の画面表示を表す図である。
【図１０】図１０（ａ）（ｂ）共に、本発明による婦人用体調管理装置の別の画面表示を表す図である。
【図１１】本発明による婦人用体調管理装置の画面表示遷移図である。
【図１２】図１２（ａ）（ｂ）共に、本発明による婦人用体調管理装置の更に別の画面表示を表す図である。
【図１３】婦人の月周期で現われる体調と基礎体温及びホルモンの分泌との関係を示す図である。
【図１４】生体電気インピーダンスと基礎体温との相関関係を示す図である。
【符号の説明】
１  婦人用体調管理装置
２  体重計付き生体電気インピーダンス計
２１ａ    定電流印加用電極
２１ｂ    定電流印加用電極
２２ａ    電圧測定用電極
２２ｂ    電圧測定用電極
２３    高周波定電流回路
２４    電圧測定回路
２５    体重測定部
２６    Ａ／Ｄ変換器
２７    通信部
３    制御ボックス
３１    操作部
３１ａ    電源ボタン
３１ｂ    入力モードボタン
３１ｃ    測定モードボタン
３１ｄ    方向ボタン
３２    表示画面
３２ａ    上段表示部
３２ｂ    下段表示部
【図１】
2004290335.tif 000003
【図２】
2004290335.tif 000004
【図３】
2004290335.tif 000005
【図４】
2004290335.tif 000006
【図５】
2004290335.tif 000007
【図６】
2004290335.tif 000008
【図７】
2004290335.tif 000009
【図８】
2004290335.tif 000010
【図９】
2004290335.tif 000011
【図１０】
2004290335.tif 000012
【図１１】
2004290335.tif 000013
【図１２】
2004290335.tif 000014
【図１３】
2004290335.tif 000015
【図１４】
2004290335.tif 000016